(57)【要約】【課題】短時間で簡単に高い位置に設置することができる柱上作業用補助具を提供する。【解決手段】柱１に装着する柱上支持部２を、上部受け部５と下部受け部６とで構成する。上部受け部５を柱１に着脱自在に固定する。上部受け部５の円弧状のガイド７に下部受け部６の吊り部１２を挿入して着脱自在に吊り下げる。下部受け部６を柱１の周りに案内する。下部受け部６に側方に突出するアーム３を装着する。アーム３に落下受け体４を装着する。落下受け体４で柱上からの落下物を受ける。【選択図】　図１
2004120967.tif 000002
【特許請求の範囲】
【請求項１】
柱に装着される柱上支持部と、該柱上支持部から側方に突出するアームとを備え、前記アームに、柱上からの落下物を受けるための落下受け体が装着されることを特徴とする柱上作業用補助具。
【請求項２】
前記柱上支持部及び前記アームが分離可能とされたことを特徴とする請求項１記載の柱上作業用補助具。
【請求項３】
前記柱上支持部は、柱に着脱自在に固定される上部受け部と、前記アームを支持する下部受け部とからなり、前記下部受け部が上部受け部に着脱自在に吊り下げられることを特徴とする請求項１又は２記載の柱上作業用補助具。
【請求項４】
前記上部受け部に、下部受け部の吊り部を挿入して柱周りに案内するための円弧状のガイドが形成されたことを特徴とする請求項３記載の柱上作業用補助具。
【請求項５】
前記ガイドに、下部受け部の吊り部を挿入するための挿入部が形成され、ガイド内に挿入した吊り部の挿入部からの抜け出しを防止するように、吊り部の挿入部への移行を規制する規制手段が設けられたことを特徴とする請求項４記載の柱上作業用補助具。
【請求項６】
前記ガイドの中央に前記挿入部が形成され、該挿入部は、一対の吊りピンからなる吊り部を挿入可能な一対の挿入穴から構成され、両挿入穴の間に前記規制手段が設けられたことを特徴とする請求項５記載の柱上作業用補助具。
【請求項７】
前記落下受け体は、アームに装着される中心部に、複数の骨部材が開閉自在に設けられ、該骨部材に、柱上からの落下物を受ける布状体が取り付けられることを特徴とする請求項１〜６のいずれかに記載の柱上作業用補助具。
【請求項８】
前記骨部材は、伸縮自在とされたことを特徴とする請求項７記載の柱上作業用補助具。
【請求項９】
柱上の設置物に対して塗装するときに、滴下する塗料を受けるために使用することを特徴とする請求項１〜８のいずれかに記載の柱上作業用補助具。
【発明の詳細な説明】
【０００１】
【発明の属する技術分野】
本発明は、例えば電柱などの柱上で作業するときに、柱上からの落下物を受けるための柱上作業用補助具に関するものである。
【０００２】
【従来の技術】
一般に、架空配電線を支持する電柱の柱上には、変圧器などの機器が設置されている。この柱上の設置物に雨水や粉塵等による錆や汚れが付着して美観性が損なわれたとき、柱上の設置物を新たなものに吊り替えることにより、その美観性を回復しているが、その工事にかかる費用が高いため、そのまま放置されることも多い。
【０００３】
そこで、柱上の設置物に塗装を施して、その美観性を回復することが求められるが、塗装用の塗料が滴下して通行人にかかったり、道路を汚したりするおそれがある。また、電柱やそれ以外の柱の柱上では、塗装以外にも種々の作業を行うことがあるが、柱上からのビスなどの落下が懸念される。この場合、塗料などの柱上からの落下物を受けるための柱上作業用補助具を設置して、道路などへの落下を防止することが有効である。
【０００４】
【発明が解決しようとする課題】
ところが、柱上作業用補助具を低い位置に設置する場合、その面積を大きくして広い範囲をカバーする必要があり、交通の邪魔にもなりやすい。一方、柱上作業用補助具を高い位置に設置する場合、その設置作業性が悪くなりやすく、柱上作業用補助具の設置に手間取って工事に要する時間も長くなる。
【０００５】
本発明は、短時間で簡単に高い位置に設置することができる柱上作業用補助具を提供することを目的とする。
【０００６】
【課題を解決するための手段】
上記課題に鑑み、本発明は、柱に装着される柱上支持部と、この柱上支持部から側方に突出するアームとを備え、そのアームに、柱上からの落下物を受けるための落下受け体を装着するようにした柱上作業用補助具を提供するものである。この構成によれば、その柱上で作業を行う柱を利用して柱上作業用補助具を設置するため、柱上作業用補助具専用の柱を設ける必要がなく、その分、簡単かつ短時間で高い位置に柱上作業用補助具を設置することができる。
【０００７】
柱上支持部及びアームを分離可能とすれば、まず柱上支持部だけを吊り上げて柱に装着することができるため、直接に柱に装着する部材の大きさ及び重量を小さくして、その装着を簡単にすることができる。さらに、柱上支持部を柱に着脱自在に固定される上部受け部と、アームを支持する下部受け部とから構成して、その上部受け部で下部受け部を着脱自在に吊り下げるようにすれば、まず上部受け部だけを柱に装着することができるため、その装着をより簡単にすることができる。
【０００８】
上部受け部に、下部受け部の吊り部を挿入して柱周りに案内するための円弧状のガイドを形成すれば、下部受け部をガイドに沿って移動させることにより、落下受け体の柱周りの位置を調節することができる。これにより、上部受け部を柱に固定するときに、その方向を正確に設定しておく必要がなく、上部受け部の柱への固定を簡単にすることができる。
【０００９】
ガイドに、下部受け部の吊り部を挿入するための挿入部を形成し、ガイド内に挿入した吊り部の挿入部からの抜け出しを防止するように、吊り部の挿入部への移行を規制する規制手段を設ける。そうすれば、下部受け部がガイドに沿ってずれた場合であっても、その吊り部がガイドの挿入部から抜け出すことはなく、下部受け部、アーム及び落下受け体の落下を防止することができる。
【００１０】
吊り部を一対の吊りピンから構成して、この吊り部を挿入可能なように挿入部を一対の挿入穴から構成し、規制手段を両挿入穴の間に設ければ、吊り部の挿入部への移行を規制する規制手段を一つにすることができる。
【００１１】
つまり、挿入部をガイドの中央に形成してガイド内での下部受け部の移動量を小さくするとき、規制手段として、挿入部よりも一側からの移行を規制する規制手段と、挿入部よりも他側からの移行を規制する規制手段とが必要になる。そこで、両挿入穴の間に規制手段を設けることにより、吊り部を挿入部の一側及び他側のいずれに配置したときにも、一つの規制手段で、吊り部の挿入部への移行を規制することができる。
【００１２】
落下受け体としては、パラボラ状の板材を用いてもよいが、アームに装着する中心部に、複数の骨部材を開閉自在に設けて、この骨部材に柱上からの落下物を受ける布状体を取り付ける。そうすれば、落下受け体を軽くすることができると共に、骨部材を閉じて小さくすることができ、より取り扱いやすくなる。ここで、布状態は、折り畳み可能な２次元状の薄い部材を示し、シートやネットなどどのようなものであってもよい。
【００１３】
骨部材を伸縮自在とすれば、落下物を受ける範囲を適宜調節することができる。また、骨部材を縮めることにより小さくすることができ、より取り扱いやすくすることができる。
【００１４】
これらの柱上作業用補助具は、柱上の設置物に対して塗装するときに、滴下する塗料を受けるために使用すれば、本発明の好適な実施態様を提供することができる。
【００１５】
【発明の実施の形態】
以下、本発明に係る柱上作業用補助具の実施の形態について、図面を用いて説明する。図１は本発明の柱上作業用補助具の分解斜視図であり、図２は柱に装着した柱上作業用補助具の平面図、図３は柱に装着した柱上作業用補助具の側面図である。
【００１６】
この柱上作業用補助具は、柱１の柱上の設置物に対して塗装するときに、滴下する塗料を受けるために使用するものであり、柱１に装着される柱上支持部２と、柱上支持部２から分離可能に側方に突出するアーム３と、アーム３に装着されて柱上からの落下物を受けるための落下受け体４とを備えている。
【００１７】
このうち、柱上支持部２は、柱１に着脱自在に固定される上部受け部５と、上部受け部５に着脱自在に吊り下げられてアーム３を支持する下部受け部６とからなる。図２に示すように、柱上の設置物が二つあるときは、一つの上部受け部５に二つの下部受け部６を装着するようになっている。
【００１８】
図４に示すように、上部受け部５は、例えば鋼板から形成された略円弧状の上部受け部本体５ａの一端側に、チェーン５ｂがハンドル５ｃを介して取り付けられてなり、上部受け部本体５ａの内周側に、柱１の外周面に当接される当接部５ｄが一体的に形成されている。チェーン５ｂを柱１の背面側に回して、上部受け部本体５ａの他端側のチェーン留め金具５ｅに取り付け、ハンドル５ｃを締め付けることにより、上部受け部５が柱１に装着される。
【００１９】
上部受け部本体５ａの幅方向中央には、下部受け部６を柱１の周りに案内するための円弧状のガイド７が形成され、このガイド７の長さ方向中央に、下部受け部６の後述する吊り部１２をガイド７内に挿入するための挿入部８が形成されている。挿入部８は一対の挿入穴８ａからなり、下部受け部６の吊り部１２を構成する一対の吊りピン１２ａを挿入可能とされる。
【００２０】
ガイド７の長さ方向で両挿入穴８ａの間には、ガイド７の幅方向両側を接続して上部受け部本体５ａを補強する接続板９が設けられている。接続板９は、その下方を吊りピン１２ａが通過可能なように、上方に突出させて設けられ、その中央に、規制ピン１０を装着する貫通穴１１が形成されている。規制ピン１０は、吊り部１２の挿入部８への移行を規制する規制手段とされ、ガイド７内に挿入した吊り部１２の挿入部８からの抜け出しを防止する。
【００２１】
図５に示すように、下部受け部６は、上下方向に向けて配置される例えば鋼製で断面中空略長方形の下部受け部本体６ａに、アーム３を支持するアーム支持部６ｂが上下方向にスライド自在に設けられてなる。アーム支持部６ｂは、水平方向に向けて配される例えば鋼製の断面中空略長方形とされ、そのアーム３側の端部にアーム３を嵌合可能とされている。
【００２２】
下部受け部本体６ａの上端には、一対の吊りピン１２ａからなる吊り部１２が配され、上部受け部５のガイド７に吊り下げるようになっている。下部受け部本体６ａの下端には、柱１の側面に当接させて、下部受け部６の倒れを阻止する倒れ阻止部１３が柱１側に向けて突設され、その傾き調節ねじ１３ａにより下部受け部６の傾斜を調節できるようになっている。
【００２３】
アーム支持部６ｂの柱１側の端部には、下部受け部本体６ａにスライド自在に外装されたスライド部６ｃが形成されている。スライド部６ｃの側面には、アーム支持部６ｂに付設された固定ピン１４を挿入する固定ピン挿入孔１５が形成されている。この固定ピン挿入孔１５を下部受け部本体６ａの側面に形成された複数の固定ピン挿入孔１６のいずれかに合わせて固定ピン１４を挿入することにより、アーム支持部６ｂを所望の高さに固定するようになっている。
【００２４】
図６に示すように、アーム３は、例えば電気絶縁性に優れた繊維強化プラスチック（ＦＲＰ）から断面中空略長方形に形成され、その柱１側の端部には、例えば鋼製の断面中空略長方形でアーム支持部６ｂに嵌合連結される連結部３ａが固定されている。この連結部３ａの側面に形成された固定ピン挿入孔１７と、アーム支持部６ｂの側面に形成された固定ピン挿入孔１８とを合わせて、これらに固定ピン１４を挿入することにより、アーム３がアーム支持部６ｂに固定される。
【００２５】
図７及び図８に示すように、落下受け体４は、アーム３に外装される断面中空略長方形の中心部１９に、伸縮自在な複数の骨部材２０が開閉自在に設けられ、この骨部材２０に、柱上からの落下物を受けるシート２１（布状体）を取り付けてなる。中心部１９は、アーム３に沿ってスライド自在とされ、その固定ねじ１９ａを締め付けることにより、落下受け体４が柱１と所定の間隔に位置決めされる。
【００２６】
図８に示すように、骨部材２０は、基端側骨部材２０ａと先端側骨部材２０ｂとを、その軸方向にスライド自在に連結してなり、伸縮調節ねじ２０ｃにより所定の長さに固定される。中心部１９の上面に突設されたシャフト２２ａに、シート２１の上側から、ナット２２ｂで押さえ板２２ｃを固定することにより、骨部材２０が開状態に保たれる。
【００２７】
先端側骨部材２０ｂの先端には、上方に立ち上がった立上部２０ｄが形成され、その上端の紐孔２０ｅにシート２１を結び付けるようになっている。立上部２０ｄにより、シート２１の周縁が立ち上がり、受けた落下物がシート２１の周縁から落下しないようになっている。
【００２８】
次に、この柱上作業用補助具を設置する手順について説明する。この柱上作業用補助具は、例えば図９に示す架空電線設備２３の電柱１ａに設置された変圧器２４に塗装を施すとき、電柱１ａに装着されて使用される。この架空電線設備２３は、電柱１ａ、１ｂに電線２５が架線され、電柱１ａに変圧器２４やスイッチ２６などの柱上機器が設置されている。
【００２９】
まず、変圧器２４とスイッチ２６との間に上部受け部５を配置して、その当接部５ｄを電柱１ａに当接させる。チェーン５ｂを柱１の背面側に回して締め付けるようにして、上部受け部本体５ａのチェーン留め金具５ｅに取り付ける。ハンドル５ｃを回して締め付けることにより、チェーン５ｂが強く締まり、上部受け部５が電柱１ａに装着される。
【００３０】
次いで、下部受け部６の吊り部１２を上部受け部５の挿入部８からガイド７に挿入し、このガイド７に沿って、下部受け部６を所定の位置に移動させる。塗装を施す設置物が二つあるときは、二つの下部受け部６を装着する。上部受け部５の接続板９の貫通穴１１に規制ピン１０を装着して、吊り部１２の挿入部８からの抜け出しを防止する。
【００３１】
下部受け部６の傾き調節ねじ１３ａを回して、下部受け部本体６ａがほぼ垂直になるようにその傾斜を調節する。下部受け部本体６ａに沿ってアーム支持部６ｂを上下にスライドさせて、スライド部６ｃの固定ピン挿入孔１５と下部受け部本体６ａの固定ピン挿入孔１６とを合わせ、固定ピン１４を挿入することにより、アーム支持部６ｂを所望の高さに固定する。このアーム支持部６ｂの端部に、アーム３の連結部３ａを嵌合して、連結部３ａの固定ピン挿入孔１７と、アーム支持部６ｂの固定ピン挿入孔１８とに固定ピン１４を挿入し、アーム支持部６ｂにアーム３を固定する。
【００３２】
変圧器２４の大きさや障害物を考慮して、地上で、落下受け体４の骨部材２０を所望の長さに伸縮調節ねじ２０ｃで固定して調節し、全ての骨部材２０の紐孔２０ｅにシート２１の紐を通して結び付けて、落下受け体４を構成する。このとき、落下受け体４は、図７に示す閉状態である。この落下受け体４を柱上に持ち上げて、その中心部１９をアーム７に嵌めてスライドさせ、所定の位置で固定ねじ１９ａを締め付ける。落下受け体４を開いて、シート２１の上からシャフト２２ａに押さえ板２２ｃを装着し、ナット２２ｂを締めることにより、落下受け体４を開状態に保持する。
【００３３】
落下受け体４の中心が変圧器２４の中心の直下にあることと、落下受け体４が変圧器２４よりも広がっていることとを確認し、両者がずれているときや、変圧器２４が外側に出ているときは、ガイド７に沿って下部受け部６をスライドさせたり、アーム７に沿って落下受け体４をスライドさせたり、骨部材２０を伸ばしたりして調節する。錆落としや、塗装などの作業が完了後は、柱上作業用補助具をその設置手順と反対の手順で取り外す。
【００３４】
上記構成によれば、柱上作業用補助具の設置に柱１を利用しているので、柱上作業用補助具を簡単に設置することができる。この柱上作業用補助具は、複数の部品を柱上で組み立てるため、各部品の大きさ及び重量が小さくなり、その取扱が簡単になる。また、各部品及び部品間に位置調節のための機能を備えているので、良好な設置状態を得ることができる。
【００３５】
なお、本発明は、上記の実施の形態に限定されるものではなく、本発明の範囲内において、適宜変更を加えることができる。例えば、塗装時の塗料の滴下を受ける代わりに、柱上から落下するビスなどを受けるために使用してもよい。この場合、シートの代わりにネットなどを用いてもよい。
【００３６】
落下受け体は、中心部１９、骨部材２０及びシート２１（布状体）を組み合わせて開閉自在及び伸縮自在に構成するだけでなく、パラボラ状の板材から構成したものであってもよい。また、アーム７を柱上支持部２と分離可能にする代わりに、これらを一体的に構成してもよい。
【００３７】
【発明の効果】
以上の説明から明らかな通り、本発明によると、柱に装着する柱上作業補助具を複数の部品に分割して、その大きさ及び重量を小さくするため、柱上での組立作業性を良好にすることができる。これにより、柱上作業補助具を短時間で簡単に高い位置に設置することができ、柱上での塗装作業などを可能にすることができる。
【図面の簡単な説明】
【図１】本発明の柱上作業用補助具の分解斜視図
【図２】柱に装着した柱上作業用補助具の平面図
【図３】柱に装着した柱上作業用補助具の側面図
【図４】上部受け部の平面図
【図５】（ａ）は下部受け部の側面図、（ｂ）は下部受け部の正面図
【図６】アームの側面図
【図７】落下受け体の閉状態の斜視図
【図８】シート装着前の落下受け体の開状態の側面図
【図９】架空電線設備の側面図
【符号の説明】
１　　　柱
２　　　柱上支持部
３　　　アーム
４　　　落下受け体
５　　　上部受け部
６　　　下部受け部
７　　　ガイド
８　　　挿入部
８ａ　　挿入穴
１０　　規制ピン
１１　　貫通穴
１２　　吊り部
１２ａ　吊りピン
１９　　中心部
２０　　骨部材
２１　　シート
【図１】
2004120967.tif 000003
【図２】
2004120967.tif 000004
【図３】
2004120967.tif 000005
【図４】
2004120967.tif 000006
【図５】
2004120967.tif 000007
【図６】
2004120967.tif 000008
【図７】
2004120967.tif 000009
【図８】
2004120967.tif 000010
【図９】
2004120967.tif 000011